(57)【要約】      （修正有）【課題】使い勝手の良い時刻設定機能を提供する。【解決手段】時刻自動取得フラグが立っていないときは、ユーザは、時刻設定をすることが可能であり、ユーザにより設定された設定時刻情報は、時刻関連情報記憶部１８ａ内に格納される。時刻表示部７には、この設定時刻情報に基づく時刻が表示される。放送信号から時刻情報を取得し抽出した場合には、時刻関連情報記憶部１８ａの時刻自動取得フラグをたてるとともに、時刻関連情報記憶部１８ａ内に記憶されている時刻情報を取得し抽出した時刻情報により修正（上書き）するとともに、時刻表示部７には修正された時刻が表示される。また、時刻自動取得フラグが立っている状態では、時刻設定操作又は時刻設定メニューからの操作をハッチング（禁止）し、ユーザが自己の操作に基づいて時刻設定することができないように制御する。【選択図】図１
2008182328.tif 000002
【特許請求の範囲】
【請求項１】
時刻を表示する時刻表示部と、
該時刻表示部に対する表示制御を行う制御部と、
放送信号内に時刻情報が含まれる場合に、前記放送信号から第１の時刻情報を取得する時刻情報取得部と、
前記第１の時刻情報と、時刻入力操作に基づく第２の時刻情報と、のうちのいずれか一方の時刻情報と、前記時刻情報取得部が前記第１の時刻情報を取得しているか否かを示す時刻自動取得フラグと、を記憶する時刻関連情報記憶部と、
該時刻関連情報記憶部に記憶されている方の前記時刻情報を前記時刻表示部に表示させる指示と、前記時刻自動取得フラグが前記時刻情報取得部により前記第１の時刻情報が取得されている旨を示している場合には、前記時刻入力操作の受け付けを無効にする旨の指示と、を制御部に対して行う時刻制御部と
を有することを特徴とするテレビジョン受信装置。
【請求項２】
テレビジョン受信装置の省電力モードにおいて、前記制御部には電力が供給されず、前記時刻制御部には、電力が供給され、前記時刻関連情報記憶部の記憶内容は保持されることを特徴とする請求項１に記載のテレビジョン受信装置。
【請求項３】
テレビジョン受信装置のＡＣ電源を完全にオフした場合には、前記時刻自動取得フラグの記憶状態がクリアされることを特徴とする請求項１又は２に記載のテレビジョン受信装置。
【請求項４】
前記時刻入力操作が表示メニューからの入力であり、前記時刻入力操作の受け付けを無効にする制御として、時刻設定メニューを非表示にすることを特徴とする請求項１から３までのいずれか１項に記載のテレビジョン受信装置。
【請求項５】
省電力モードから装置が起動すると、前記時刻関連情報記憶部に記憶されている前記時刻データと前記時刻自動取得フラグとを、前記時刻制御部から前記制御部に対して送信することを特徴とする請求項１から４までのいずれか１項に記載のテレビジョン受信装置。
【請求項６】
前記時刻情報取得部が前記第１の時刻情報を取得すると、前記制御部が前記時刻制御部に対して、該第１の時刻データと時刻自動取得フラグオンの通知とを行い、該通知に基づいて前記時刻関連情報記憶部の記憶内容を更新することを特徴とする請求項１から５までのいずれか１項に記載のテレビジョン受信装置。
【請求項７】
前記時刻自動設定フラグがオフの場合に前記時刻入力操作がなされると、前記時刻入力操作に基づく前記第２の時刻情報が前記制御部から前記時刻制御部に送信され、
前記時刻関連情報記憶部における前記時刻自動設定フラグのオフ状態を維持したまま、
前記第２の時刻情報に更新されることを特徴とする請求項１から６までのいずれか１項に記載のテレビジョン受信装置。
【請求項８】
動作している装置が省電力モードへ移行すると、前記制御部から前記時刻制御部に、現在表示している時刻情報と時刻自動取得フラグとが通知され、前記時刻関連情報記憶部における記憶内容が更新されることを特徴とする請求項１から６までのいずれか１項に記載のテレビジョン受信装置。
【請求項９】
時刻を表示する時刻表示部と、
該時刻表示部に対する表示制御を行う制御部と、
放送信号内に時刻情報が含まれる場合に、前記放送信号から第１の時刻情報を取得する時刻情報取得部と、
前記第１の時刻情報と、時刻入力操作に基づく第２の時刻情報と、のうちのいずれか一方の時刻情報と、前記時刻情報取得部が前記第１の時刻情報を取得しているか否かを示す時刻自動取得フラグと、を記憶する時刻関連情報記憶部と、
該時刻関連情報記憶部に記憶されている方の前記時刻情報を前記時刻表示部に表示させる指示と、前記時刻自動取得フラグが前記時刻情報取得部により前記第１の時刻情報が取得されている旨を示していない場合にのみ、前記時刻入力操作の受け付けを有効とする制御を行う時刻制御部と
を有することを特徴とするテレビジョン受信装置。
【請求項１０】
請求項１から９までのいずれか１項に記載のテレビジョン受信装置を備えた携帯端末。
【請求項１１】
デジタル放送受信装置における時刻設定方法であって、
デジタル放送受信装置の起動に応じて、放送信号からの第１の時刻情報の取得を試みる第１のステップと、
前記第１の時刻情報を取得できた場合に、時刻入力操作に基づく第２の時刻情報の入力を無効とし、前記第１の時刻情報を取得できない場合には、時刻入力操作を受け付け可能とする制御を行う第２のステップと
を有することを特徴とする時刻設定方法。
【請求項１２】
放送番組の視聴時に、前記第１及び第２のステップを繰り返すことを特徴とする請求項１１に記載の時刻設定方法。
【請求項１３】
請求項１１又は１２に記載のステップをコンピュータに実行させるためのプログラム。
【請求項１４】
請求項１３に記載のプログラムを記録するコンピュータ読みとり可能な記録媒体。
【発明の詳細な説明】
【技術分野】
【０００１】
本発明は、時刻設定技術に関し、特に、デジタル放送受信装置の時刻設定技術に関する。
【背景技術】
【０００２】
テレビジョン受信装置においては、リモコン装置による操作やメニュー表示からの入力などによって、ユーザが現在時刻を設定できるようになっているのが一般的である。しかしながら、メニュー等からユーザが設定した時刻は、必ずしも正しい値が設定されるとは限らない。
【０００３】
そこで、下記の特許文献１に記載の時計付受信機においては、放送を受信した際に、この放送に含まれる時刻情報により、自動的に受信機に内蔵された時計回路の時刻を修正する。従って、ユーザは時計回路の設定操作を行う必要がないという利点がある。
【特許文献１】実開平１−１１０３２号公報「時計付受信機」
【発明の開示】
【発明が解決しようとする課題】
【０００４】
しかしながら、メニューなどからユーザが手動で時刻設定をした後に、放送に含まれる時刻情報により自動的に時刻設定されることで時刻が修正された場合には、せっかく行ったユーザの設定が反映されないため、手動設定と自動修正との関係がわかりづらいという問題があった。このような場合に、手動で設定した値が反映されているのか、放送から取得した時刻が反映されているのかユーザが知る手段もなかった。
【０００５】
本発明は、手動設定と自動設定との関係を明確にすることにより、使い勝手の良い時刻設定機能を提供することを目的とする。
【課題を解決するための手段】
【０００６】
本発明によれば、放送信号より時刻情報が取得できている場合、ユーザによる時刻設定を無効とするため時刻設定メニューをハッチングしユーザが時刻設定できなくする。放送信号に時刻情報が含まれていない番組を選局していると、ハッチングされていない期間が長くなるためユーザが時刻設定を変更する可能性が高くなる。従って、一度でも放送信号から時刻情報が取得できた後は、現在の放送信号に時刻情報が含まれていないとしてもユーザが時刻設定できないようにする。TVなどの放送受信機において、放送信号から1度も時刻を取得していない場合のみ、メニュー等からユーザが現在時刻を設定できるように構成する。放送信号から１度時刻を取得した後は、ユーザが現在時刻を設定できなくすることにより、放送から取得した時刻を使用していることを示し紛らわしさを解消することができる。
【０００７】
放送信号から1度も時刻を取得していない場合のみ、メニューからユーザが手動で時刻設定できるようにする手段を設ける。放送信号から１度でも自動的に時刻が取得された場合には、「放送から自動的に時刻を取得した」という情報を記憶装置に保持し、ユーザが手動で時刻設定を出来ないようにする手段を設ける。この情報は、受信機がスタンバイ状態になっても保持する。
【０００８】
メイン側が放送信号から時刻情報を取得したとき、放送信号から時刻を自動で取得したことを示すフラグおよび取得した時刻情報をマイコンへ通知する。このとき、マイコンは時刻情報、時刻自動取得フラグを保持する。
【０００９】
受信装置の起動時は、マイコンは時刻自動取得フラグと時刻情報をメイン側へ通知する。このフラグが立っているときは、時刻設定メニューをハッチングする。マイコンはリモコン/主電源Off時でも小電力で駆動しており、マイコン側に保持している時刻情報を随時カウントしている。ACコードをOFFするなどすると、マイコンに保持されている時刻やフラグが消失する。この場合のみ、ハッチングが解除される。
【発明の効果】
【００１０】
本発明によれば、放送に時刻情報が全く含まれない環境でも時刻設定を行うことができる。放送に含まれる時刻情報により１度でも自動的に時刻設定された場合、ユーザが手動で時刻設定できないようにすることで、放送による設定値のみ時刻表示等に反映されることを示し紛らわしさを解消することができる。「放送から自動的に時刻を取得した」情報をスタンバイ状態でも保持しているので、受信機がスタンバイ状態から時刻情報を含まないチャンネルで復帰した場合でも、時刻設定させない状態となり、ユーザの操作が反映されないことに起因する紛らわしさを解消することができる。
【発明を実施するための最良の形態】
【００１１】
以下、本発明の一実施の形態による時刻設定装置を含むデジタル放送受信装置について図面を参照しながら説明を行う。図１は、本実施の形態によるデジタル放送受信装置の一構成例を示す機能ブロック図である。
【００１２】
図１に示すように、本実施の形態によるテレビジョン受信装置Ａは、放送を受信するアンテナ１と、チューナなどを含むデジタル放送受信部３と、デコーダ部１１と、受信した放送中から時刻情報を抽出する時刻情報抽出部３１と、を有している。さらに、時刻を刻むタイマ（クロック）５と、時刻を表示する時刻表示部７と、リモコン装置からの操作に基づく制御信号を受信するリモコン受光部１５と、全体を制御する制御部１７と、各種情報やデータを記憶するメモリ１８と、を有している。さらに、音声信号を処理してスピーカ２１から出力させる音声信号処理部２５と、映像信号を処理してディスプレイ２３から出力させる映像信号処理部２７と、を有している。制御部１７は、テレビに時刻を表示させたり、予約設定を行ったりするなど装置の全般的な制御処理を行う。尚、制御部１７には、時刻に関する制御を行う時刻制御部１７ａが関連付けされて設けられている。メモリ１８には、時刻情報と、後述する時刻自動取得フラグとを記憶する時刻関連情報記憶部１８ａが設けられている。尚、リモコン装置などによる電源オン／オフ操作に基づいて、制御部１７と時刻制御部１７ａとに対する電源の供給のされ方が変更になる。すなわち、電源オフにした場合でも、ＡＣコードが抜かれていなければ時刻制御部１７ａには電力が供給されているが制御部１７は休止状態となり、省電力モードで動作することになる。リモコン装置で電源をオンにすると、制御部１７全体に電力が供給される動作モードとなる。
【００１３】
時刻関連情報記憶部１８ａは、「時刻」と、「放送から時刻を取得したか否か」を示す時刻自動取得フラグと、を格納する領域である。この時刻自動取得フラグが立っていないとき（例えば、“０”のとき）は、ユーザは、リモコン操作又はメニューからの操作等により時刻設定をすることが可能であり、ユーザにより設定された設定時刻情報は、時刻関連情報記憶部１８ａ内に格納される。時刻表示部７には、この設定時刻情報に基づく時刻が表示される。時刻関連情報記憶部１８ａは、フラッシュメモリなどにより構成され、電力供給が停止されても記憶内容を保持することができるとともに、その記憶内容は書き換え可能となっている。
【００１４】
放送信号から時刻情報を取得し抽出した場合には、時刻関連情報記憶部１８ａの時刻自動取得フラグをたてる（例えば“１”とする）とともに、時刻関連情報記憶部１８ａ内に記憶されている時刻情報を取得し抽出した時刻情報により修正（上書き）するとともに、時刻表示部７には修正された時刻が表示される。
【００１５】
また、時刻自動取得フラグが立っている状態では、時刻設定操作又は時刻設定メニューからの操作をハッチング（禁止）し、ユーザが自己の操作に基づいて時刻設定することができないように制御する。尚、時刻自動取得フラグは、スタンバイしても保持されている。ここで、スタンバイ状態とは、ＡＣ電源が入力されているが、リモコンなどにより主電源がオフされた状態を指し、いわゆる、待機状態（リモコン装置の電源オン操作を待っている状態）である。この状態では、ディスプレイ２３やスピーカ２１、制御部１７はオフになっているが、時刻制御部（サブマイコン）１７ａは、前述のように省電力状態でも動作している。
【００１６】
ここで、次回にリモコン装置の電源をオンするなどの操作を行い、テレビジョン受信装置をスタンバイ状態から起動した時に、受信した放送から時刻を取得できない場合には、時刻関連情報記憶部１８ａに既に格納されている時刻情報に基づいて時刻制御部（サブマイコン）１７ａが時刻を取得し、制御部１７を介して時刻表示部７にこの時刻が表示される。以上のように、時刻関連情報記憶部１８ａと、タイマ５と、それを制御する時刻制御部１７ａは、スタンバイ中であっても省電力モードで動作しており、時刻を計数している。    
【００１７】
尚、リモコン受光部１５も、スタンバイ中であってもリモコン装置からの操作に基づく制御信号を受信する必要があるため、省電力モードで動作している。このことから、時刻関連情報記憶部１８ａ、タイマ５およびそれを制御する時刻制御部１７ａと共に１つの装置として構成しても良い。
【００１８】
図２は、上記の動作原理を図示した原理図であり、制御部（メイン）１７と、時刻制御部（サブマイコン）１７ａと、時刻関連情報記憶部１８ａと、の関係と遷移の様子とを示す図である。図２（Ａ）に示すように、デジタル放送受信装置の起動時（ＡＣ電源は供給された状態）には、制御部１７には電力は供給されていない。省電力モードでも動作している時刻制御部（サブマイコン）１７ａは、時刻関連情報記憶部１８ａ内に保持されている時刻情報（データ）と時刻自動取得フラグとを、受信装置の起動タイミングで制御部１７に対して通知する。通知した時刻情報フラグが立っている（“１”である）場合には、時刻設定に関するリモコン操作及びメニュー設定操作を禁止する。通知した時刻情報フラグが立っていない（“０”である）場合には、時刻設定に関するリモコン操作及びメニュー設定操作が可能であり、ユーザによる操作を受け付けることができる。尚、ＡＣ電源をオフした場合などには、時刻情報も消失し、時刻自動取得フラグがオフ（“０”）になる。時刻表示部７には、記憶されている時刻が表示される。
【００１９】
図２（Ｂ）に示すように、時刻を放送から自動的に取得できた場合には、その自動取得した時刻を制御部１７から時刻制御部１７ａに通知する。その際には、自動取得した時刻データと時刻自動取得フラグオン（“１”）との通知を行う。通知のタイミングは、番組の選局後に時刻を初めて自動取得したタイミングと、その後にデジタル放送受信装置の電源をリモコン装置によりオフにし制御部１７に電力供給されなくなるスタンバイ状態に遷移したタイミングと、である。この際に通知された時刻情報と、時刻自動取得フラグオン（“１”）と、が時刻関連情報記憶部１８ａ内に記憶される。時刻表示部７には、通知され時刻関連情報記憶部１８ａ内に記憶された時刻、すなわち、放送から自動取得された時刻が表示される。この際には、時刻自動取得フラグオン（“１”）が時刻関連情報記憶部１８ａ内に記憶されているため、ユーザ操作に基づく時刻設定はリモコン操作、メニューからの操作のいずれも禁止される（操作が無効になるように制御される）。
【００２０】
図２（Ｃ）に示すように、ＡＣ電源がオフした直後や、その後に時刻情報が自動的には取得できなかった場合には、ユーザがリモコン操作やメニューからの操作により時刻を設定した時点と、デジタル放送受信装置Ａの電源をオフにしスタンバイ状態に遷移したタイミングと、において、制御部（メイン）１７から時刻制御部（サブマイコン）１７ａに対してユーザ設定に基づく時刻データが通知され、この設定された時刻データが時刻関連情報記憶部１８ａ内に記憶される。尚、時刻自動取得フラグは通知されず、オフ（“０”）の状態が保持される。この場合には、時刻表示部７にはユーザにより設定された時刻が表示され、さらに、時刻自動取得フラグがオフ（“０”）の状態で保持されるため、新たなユーザ設定を受け付けることできる。
【００２１】
上記のように、フラグが立っていない（“０”）場合には、スタンバイ状態から次回起動させた時点で、時刻関連情報記憶部１８ａ内に既に記憶されている時刻情報に基づいて時刻表示部７に時刻表示を行う。
【００２２】
次に、上記処理の流れについて説明する。図３から図６までは、本実施の形態による時刻設定技術の処理の流れを示すフローチャート図である。適宜、図１及び図２も参照しながら説明を行う。図３は、受信装置起動時の処理の流れを示すフローチャート図である。ステップＳ１において、受信装置の起動時に例えばリモコン装置から電源オン操作が行われると受信装置が起動する。ステップＳ２において、サブマイコン１７ａからメインマイコン１７に対して、時刻データ、時刻自動取得フラグを通知する。次いで、ステップＳ３において、放送信号から時刻情報を取得可能であるか否かを判定する。取得可能（Ｙ）の場合には、ステップＳ４に進み、放送信号から時刻を取得する。次いで、ステップＳ５において、時刻自動取得フラグをオンし、メインマイコン１７からサブマイコン１７ａへ時刻データ及び時刻自動取得フラグを通知し、これらの情報を時刻関連情報記憶部１８ａに保存し、ステップＳ６で処理を終了する。この状態では、ユーザ操作による時刻設定は無効である。
【００２３】
一方、ステップＳ３において放送信号から時刻を取得できないときは（Ｎ）、ステップＳ７に進み、時刻自動取得フラグがオフであり、かつ、時刻データなしであるか否かを判定する。Ｙｅｓの場合には、ステップＳ８において、例えば“時刻設定されていません”というように画面表示を行うことでユーザに時刻設定がされていないことを報知し、ステップＳ９において処理を終了する。この場合には、ユーザ側から時刻設定操作を行うとその時刻が設定される。ステップＳ７において、Ｎｏと判定された場合、前回スタンバイ状態に遷移するときに既に放送信号から時刻を取得していたか、もしくはユーザにより時刻設定が行われており、その場合、ステップＳ１０においてユーザからの設定はできない又はする必要がないためそのまま処理を終了する。
【００２４】
次に、図４を参照しながら、受信装置通常視聴状態における処理の流れについて説明を行う。まず、ステップＳ１１において処理を開始すると、ステップＳ１２において放送信号から時刻取得が可能か否かを判定する。ここで、Ｎｏの場合には、放送視聴中に時刻設定処理を行うことはないため、ステップＳ１６に進み処理を終了する。ステップＳ１２においてＹｅｓの場合には、ステップＳ１３に進み放送信号から時刻を取得する。次いで、ステップＳ１４において、時刻自動取得フラグをオンし、メインマイコン１７からサブマイコン１７ａに対して時刻データ、時刻自動取得フラグを通知し、これらの情報を時刻関連情報記憶部１８ａに保存し、ステップＳ１５において処理を終了する。この状態では、ユーザ操作による時刻設定は無効である。尚、図４に示す処理は、視聴中において定期的に行うのが好ましい。
【００２５】
次に、図５を参照しながら、ユーザによる手動時刻設定操作時の処理の流れについて説明を行う。まず、ステップＳ２１において処理を開始すると、ステップＳ２２において、時刻自動取得フラグがオンになっているか否かを判定する。フラグがオンになっている場合には（Ｙ）、ステップＳ２３に進み、時刻設定メニューをハッチングし、手動時刻設定ができないようにし、ステップＳ２４において処理を終了する。ステップＳ２２においてフラグがオンになっていない場合には、ステップＳ２５に進み、ユーザによる手動時刻設定を受け付ける。次いで、ステップＳ２６において、時刻自動取得フラグをオフし、メインマイコン１７からサブマイコン１７ａに時刻データ及び時刻自動取得フラグを通知し、時刻関連情報記憶部１８ａにこれらのデータを保存し、ステップＳ２７において処理を終了する。
【００２６】
次いで、図６を参照しながら、受信装置の視聴終了時の処理の流れについて説明を行う。まず、ステップＳ３１において終了動作を開始し、ステップＳ３２において、メインマイコン１７からサブマイコン１７ａに対して、現在保持している時刻データ、時刻自動取得フラグを通知し、これらのデータを時刻関連情報記憶部１８ａに保存する。次いで、ステップＳ３３において装置の電源をオフにする。現在保持している時刻データ、時刻自動取得フラグは、時刻関連情報記憶部１８ａにおいてその状態を維持する。
【００２７】
以上に説明したように、本実施の形態によるデジタル放送受信技術によれば、放送から１度も時刻を取得していない場合に、メニューからユーザが手動で時刻設定できるようにしておくことにより、放送に時刻情報が全く含まれない(例えば国内でアナログのアンテナしか接続していない)環境でも時刻設定を行うことができるという利点がある。
【００２８】
また、放送に含まれる時刻情報により１度でも自動的に時刻設定された場合には、ユーザが手動で時刻設定できないようにすることで、放送による設定値のみ時刻表示等に反映されることを示し、操作がうまくいかないことによるユーザの紛らわしさを解消することができる。「放送から自動的に時刻を取得した」旨を報知する情報をスタンバイ状態でも保持する構成とすることにより、受信機がスタンバイ状態から時刻情報を含まないチャンネルで復帰した場合でも、ユーザによる時刻設定を禁止した状態となり、ユーザにとって操作がうまくいかないと感じることによる紛らわしさを解消することができる。
【００２９】
尚、本実施の形態によるデジタル放送受信技術は、一般的なデジタル放送受信装置として機能するデジタルテレビジョン受信装置、チューナを備えたハードディスクレコーダ、デジタル放送の受信機能を有する携帯端末（１セグ放送を含む）にも適用可能であり、これらも本発明の範疇に入るものである。
【産業上の利用可能性】
【００３０】
本発明は、デジタル放送受信装置に適用可能である。
【図面の簡単な説明】
【００３１】
【図１】本発明の一実施の形態によるデジタル放送受信装置の一構成例を示す機能ブロック図である。
【図２】本実施の形態による時刻設定機能の動作原理を示した図である。
【図３】本実施の形態によるデジタル放送受信装置における装置起動時の処理の流れを示すフローチャート図である。
【図４】受信装置通常視聴状態における処理の流れを示すフローチャート図である。
【図５】ユーザによる手動時刻設定操作時の処理の流れを示すフローチャート図である。
【図６】受信装置の視聴終了時の処理の流れを示すフローチャート図である。
【符号の説明】
【００３２】
Ａ…テレビジョン受信装置、１…アンテナ、３…デジタル放送受信部、１１…デコーダ部、５…タイマ（クロック）、７…時刻表示部、１５…リモコン受光部、１７…制御部、１７ａ…時刻制御部、１８…メモリ、１８ａ…時刻関連情報記憶部、３１…時刻情報抽出部。
【図１】
2008182328.tif 000003
【図２】
2008182328.tif 000004
【図３】
2008182328.tif 000005
【図４】
2008182328.tif 000006
【図５】
2008182328.tif 000007
【図６】
2008182328.tif 000008